(57)【要約】      （修正有）【課題】術前・術中・術後の使い捨て注射針による誤刺からの細菌及びウィルス感染の予防と医療従事者の作業効率の向上。【解決手段】樹脂で形成された使い捨て注射針の容器Ｄもしくは、容器ＡとＢに収容されている針もとＣを注射筒に装着する時と術中術後のリキャップ時に誤刺を引き起こす危険性が高い。その主な原因は、容器の縁を明確に把握できない事にあった。そこで容器の厚み部分の端面に着色を行い、容器の内と外を区別し易いようにした。何本もの注射の用意を同時にする時、取り違えて不完全なリキャップ状態となり、キャップが外れて針がむき出しにならぬように、キャップと針もとを同色にして、キャップと針もとを関連付け、かつキャップスタンドの穴の縁を着色して穴の位置を明確に把握させキャップ容器の挿入をし易くさせる。【選択図】図３
2007135804.tif 000002
【特許請求の範囲】
【請求項１】
樹脂で形成した片方を閉じた筒状容器の開口部の厚み部分の端面と針もとに確認用の着色をした使い捨て注射針用キャップ
【請求項２】
請求項１記載の使い捨て注射針用キャップを用いた誤刺防止方法
【発明の詳細な説明】
【技術分野】
【０００１】
本発明は、使い捨て注射針のキャップの縁の確認を容易にして、注射針による誤刺を防止し、かつスタンドやホルダーを利用したリキャップの確実性を高めるシステムである。
【背景技術】
【０００２】
術後の注射針によるリキャップの際の誤刺を防ぐ目的でキャップの形態、色や装置及び器具が多種存在するが、手で保持しリキャップする事を前提としたり、キャップの形態や針先の廃棄法など別個に考案されている。
【発明の開示】
【発明が解決しようとする課題】
【０００３】
現在、日本の厚生労働省の方針は「使用後の注射針のリキャップをしない」という方向にある。しかし、現実問題として多数の病院・診療所等で術前・術後のリキャップが頻繁に行われている。つまり誤刺を発生させる可能性を意味している。それは針を廃棄する箱などを院内などで持ち歩く手間や廃棄場所に持っていく時間の節約及び費用の面などに問題があると思われる。
【０００４】
誤刺はキャップの縁を正確に視認できず、針先を容器の中にもどしにくくなる事が主たる原因である。又治療を行う場所は注射器を置いておく台の面積が大きいと治療行為の妨げになるため広さに限りがある。他の器具類を入れたパッドや薬瓶、綿花入れなど同時に多数置いてある為、出来る限り場所を取らないように小さいキャップで、かつ素早くリキャップする必要がある。
【０００５】
誤刺を防ぐ1案（図６）で挿入口に針先止部材としてディスクタイプの張り出しを付けたキャップが考案されている（実用新案登録番号第３０４００００号）が、手で持ったり、机やテーブルに置くことを前提として発案している。手で持つことは針先が近づくことであり、また机やテーブルに置くことは、キャップの位置が毎回異なり作業にロスが出る。つまり安全確実性に劣る事となる。張り出しの部分がスタンドの穴の位置確認を困難にし、かつ幅をとるのでスタンドやホルダーの幅も必然的に大きくなり、他の器具の置き場を圧迫する。
【０００６】
また縁を超えて着色した容器（図５）の場合（実用新案登録番号第３０５９５４５号）、容器口の真上から覗く場合に関しては同じ効果があるが、診療を行っている時は斜めから容器口を確認する事がほとんどである。その場合縁を超えて着色された部分が重なって見えるため（図２）挿入口として確認できる面積が減少する。当然、リキャップしにくい。
【０００７】
一度に複数の注射器を用意する場合キャップを取り違えて正確なリキャップができずに外れてしまう事がある。そこで注射針を医療行為従事中や廃棄する際の誤刺による感染の予防と、その方策を実現する為に製造過程の複雑化を減少させ、かつコストの低減を目指す。
【課題を解決するための手段】
【０００８】
キャップの形態は、挿入口に針先止部材としてディスクタイプの張り出しを付けたキャップの場合、張り出しの部分がスタンドの穴の位置確認を困難にし、かつ幅をとるのでスタンドの幅も必然的に大きくなり、他の器具の置き場を圧迫する。やはり医療従事者が日頃使用している注射針の形態（樹脂で形成した片方を閉じた筒状容器）が違和感無く使用できて、最良と思われる。そのキャップケースの厚み部分の端面に着色をする。キャップケースと針もとを同色にする。次にキャップを立てておく装置の板は感染予防と長期使用を可能とするようにステンレス、チタン等の金属及び滅菌可能な樹脂とした。またキャップスタンドの穴やホルダーの縁を着色する。
【発明の効果】
【０００９】
針を患者に使用する前後にリキャップする場合、キャップの縁の輪郭をはっきりと識別可能にする事が重要である。概ね３原色が医療従事者に行った実験の結果良好な成果を得た。しかし派手な色彩であっても周りと調和していては目立たない。そこで背景を考慮した色の採用が必要となる。また容器口を斜めから見たときにキャップの厚み部分の端面のみの着色容器に比べ、縁を超えて着色した容器の場合は容器口の輪郭が減少するので挿入しにくくなる（図２）。２７年間の診療経験では、キャップを真上から覗く事はほとんど無く斜めから見るということが多かった。故にキャップの厚み部分の端面のみの着色が重要である。
【００１０】
何本もの注射の用意を同時にする時、取り違えて不完全なリキャップ状態となり、それが原因でキャップが外れて針がむき出しになる場合がある。その心配が無いように、キャップと針もとを同色にして、キャップと針もとを関連付ける。またキャップスタンドの穴やホルダーの縁を着色する事で穴の位置の確認がより正確になり、結果作業効率が向上する。収容する容器の形態の変更は製造コストの増加と流通等の梱包も変更を余儀なくされる。本件は今現在一般的に使用されている容器を使っての発明であるので特別の変更を要しない。それは、既存の生産ラインや金型の変更などという大掛かりな改造が必要で無く、新たな生産コストを低く抑えることが出来るという事になる。流通上の変更も無い。それに加えキャップを定位置に置くことで紛失の心配も無く、術中、術後のリキャップがスムーズに行える。この場合注射筒に針先がセットされたままでリキャップを行えるので、針先に指が近づく事も無く、安全である。つまり廃棄用ボックスを携帯する必要が無いということになる。又歯科用注射針のリキャップの場合、容器AとBをスタンドやホルダーに立てた状態で、麻酔処置を行う。その後手術野を見ていた顔の方向をスタンドのある場所に変えた時の容器A,Bを着色の有無ですぐ区別できるから、治療の流れが止まらない。（図３）
【発明を実施するための最良の形態】
【００１１】
注射針を収容している容器の縁の着色を行い、かつ注射針使用中に容器の保管場所を確保して、リキャップを容易な作業にする。キャップと針もとを同色にする。キャップスタンドの穴に着色をし、かつ職場のスタイルに合わせて大きさ形状を考慮する。
【実施例】
【００１２】
注射針Ｃは樹脂で形成された容器ＡとＢの中にありＣのみが注射筒に装着される。使用後Ａに戻されるが、容器の縁の部分が今まではっきりした輪郭を呈していなかった。使用者が明確に認識できる色を付けた。又ＡとＢを立てておくキャップスタンドの穴にも着色をすることで、術者も医療従事者も容器の位置をより正確に確認でき、スムーズにリキャップできてキャップの紛失も無い。
【００１３】
図２は、キャップの厚み部分の端面のみの着色と縁を超えて着色した容器の違いを示した。着色した輪の中の面積aｂでは、ａに比べてｂの面積が広い。
【００１４】
図３は、キャップスタンドにＡとＢを立てた状態の据え置き型・貼り付け型・立体据え置き型である。
【図面の簡単な説明】
【００１５】
【図１】使い捨て型の注射針（歯科用）の断面図
【図２】キャップの厚み部分の端面のみの着色と縁を超えて着色した容器
【図３】キャップスタンド
【図４】キャップスタンドの穴に着色したものと据え置き型の断面図
【図５】縁を超えて着色した容器（実用新案登録番号第３０５９５４５号から抜粋）
【図６】挿入口に針先止部材としてディスクタイプの張り出しを付けたキャップが考案されている（実用新案登録番号第３０４００００号から抜粋）
【符号の説明】
【００１６】
Ａ      歯科用容器 （突部）
Ｂ      歯科用容器 （凹部）
Ｃ      注射針（針もと）
Ｄ      一般医科用容器
【図１】
2007135804.tif 000003
【図２】
2007135804.tif 000004
【図３】
2007135804.tif 000005
【図４】
2007135804.tif 000006
【図５】
2007135804.tif 000007
【図６】
2007135804.tif 000008